(57)【特許請求の範囲】
【請求項１】
レンズを保持するレンズ鏡胴に固定される支持部と前記レンズを押さえて前記レンズ鏡胴に保持する板バネ部とをつなぐ根元部、
前記根元部から前記レンズの外周面の外側に沿って隣接して伸びる撓み部、
略Ｕ字形状をしてその一端が前記撓み部の前記外周面の外周に沿った方向の先端に接続した先端部、及び
前記先端部の他端に接続して前記レンズの外周面の内側で前記レンズ面を押さえ前記レンズ鏡胴に前記レンズを保持する押さえ部
を備え、
前記撓み部は前記根元部より前記レンズの円周の反対方向に伸びる２つからなり、前記２つの撓み部の先端に接続した２つの前記先端部の各々の他端が前記押さえ部を挟むように前記押さえ部の円周方向の両端に接続することを特徴とするレンズ押さえバネ。
【請求項２】
２つの撓み部、先端部及び押さえ部は、根元部に対して円周方向に対称に配置されることを特徴とする請求項１に記載のレンズ押さえバネ。
【請求項３】
レンズは光軸に対して対称な２つの平面で切断された直線部を有する形状で、板バネ部は前記レンズの２つの円弧部の内側でレンズ面を押さえることを特徴とする請求項１又は２に記載のレンズ押さえバネ。
【請求項４】
請求項１から３のいずれか１項に記載のレンズ押さえバネと、
レーザ光を射出するレーザモジュールと
前記レーザ光を平行光とするコリメータレンズと
前記レンズ押さえバネにより前記コリメータレンズを保持するレンズ鏡胴とを備えるレーザ光源装置。
【請求項５】
請求項３に記載のレンズ押さえバネと、
レーザ光を射出する複数のレーザモジュールと
前記レーザ光を平行光とする前記レーザモジュールと対をなす複数のコリメータレンズと
前記レンズ押さえバネにより前記コリメータレンズを保持するレンズ鏡胴とを備え、
前記複数のコリメータレンズは各直線部が隣接するように配置されたレーザ光源装置。
【発明の詳細な説明】
【技術分野】
【０００１】
本発明はレンズを位置決めするレンズ押さえバネとそのレンズ押さえバネを用いたレーザ光源装置に関するものである。
【背景技術】
【０００２】
高出力レーザ光源装置は、光源である複数のレーザモジュールより出射される複数のレーザ光線を、それらと対となる複数のコリメータレンズで平行光にした後、集光レンズ等によって１つのレーザ光線に集光、つまり合波することで所望のパワーを得ている。このようなレーザ光源装置を合波レーザ光源装置と呼ぶ。
【０００３】
この合波レーザ光源装置は、レーザモジュールとコリメータレンズを１組しか装備しないレーザ光源装置と異なり、複数のレーザモジュールとそれと対となる複数のコリメータレンズを、個々の設計された位置に精度よく保持する必要がある。このため合波レーザ光源装置は、レーザモジュールとコリメータレンズをある一定の間隔でバランスよく配置することから、構造的に大きな設置スペースが必要となり、レーザ光源装置としてのサイズが大きくなっている。
【０００４】
また近年レーザ光源装置は高出力化の要求から、合波レーザ光源装置に使用されるレーザモジュールの数を増やしたり、高出力が可能な大型のレーザモジュールを使用したりしている。それに伴い、対となるコリメータレンズの使用枚数や、外形サイズも大きくなり、高出力な合波レーザ光源装置を得るためには、レーザ光源装置全体を大きくせざるを得なかった。そのためレーザモジュールとコリメータレンズは、できる限り配置間隔を短くして、効率よく省スペースで配置される構造が望まれている。
【０００５】
一方、レーザモジュールに使用されるコリメータレンズは、ビームの広がり角である放射角を有するレーザモジュールの出射光を一定距離だけ離れた位置で受けるため、レーザモジュールより概ね大きく設計されている。よって、複数のレーザモジュールを高密度に配置するためには、レーザモジュールを小さくするよりも、コリメータレンズの有効径の外周に設けられる非有効部分を小さくすることでコリメータレンズを小さくすることが有効である。
【０００６】
また、レーザ光源装置の小型化のため、非有効部分を小さくしたコリメータレンズの固定に接着剤を使用することが考えられるが、塗布した接着剤が有効領域にはみ出す可能性が高くなるため、接着剤を使用せず板バネ等で固定することが好ましい。また、レーザ光源は高出力の場合が多いため、コリメータレンズを接着剤で固定すると、接着剤が高温となりレンズを曇らせる等の弊害のあるガスが発生するという問題もある。レンズを固定する板バネとしては、リング状の板材で円周方向の３ヶ所に円の中心方向に突き出た押圧部を有する板バネが提案されている（例えば、特許文献）。
【先行技術文献】
【特許文献】
【０００７】
特開２００６−２４３３８５号公報（段落００３９、図６）
【発明の概要】
【発明が解決しようとする課題】
【０００８】
しかしながら、特許文献に記載されたようなレンズの中心方向に突き出た押圧部である押さえ部を有する板バネを用いると、押さえ部は撓み量を確保するためのある程度の長さを必要とするため、レンズ押さえバネの外径が大きくなり、コリメータレンズの配置をコンパクトにすることができないという問題があった。
【課題を解決するための手段】
【０００９】
この発明に係るレンズ押さえバネにおいては、レンズを保持するレンズ鏡胴に固定される支持部とレンズを押さえてレンズ鏡胴に保持する板バネ部とをつなぐ根元部、根元部からレンズの外周面の外側に沿って隣接して伸びる撓み部、略Ｕ字形状をしてその一端が撓み部の外周面の外周に沿った方向の先端に接続した先端部、及び先端部の他端に接続してレンズの外周面の内側でレンズ面を押さえレンズ鏡胴にレンズを保持する押さえ部を備え、撓み部は根元部よりレンズの円周の反対方向に伸びる２つからなり、２つの撓み部の先端に接続した２つの先端部の各々の他端が押さえ部を挟むように押さえ部の円周方向の両端に接続するものである。
【発明の効果】
【００１０】
本発明に係るレンズ押さえバネは、レンズの半径方向の大きさを抑えながらバネの撓み部分の長さを確保してレンズを保持することが可能となる。
【図面の簡単な説明】
【００１１】
【図１】本発明の実施の形態１に係る合波レーザ光源装置の分解斜視図である。
【図２】本発明の実施の形態１に係る合波レーザ光源装置の部分断面図である。
【図３】本発明の実施の形態１に係るレンズ押さえバネの平面図である。
【図４】本発明の実施の形態１に係るレンズ押さえバネの部分拡大図である。
【図５】本発明の実施の形態１に係るレンズ押さえバネの平面図である。
【図６】本発明の実施の形態１に係るレンズガイドを装着しない場合の平面図である。
【図７】本発明の実施の形態１に係るレンズガイドを装着した場合の平面図である。
【図８】本発明の実施の形態２に係るレンズ押さえバネの部分拡大図である。
【発明を実施するための形態】
【００１２】
実施の形態１．
図１は本発明に係わるレンズ押さえバネを採用した合波レーザ光源装置１を光軸方向に分解した分解斜視図、図２は合波レーザ光源装置１をレーザモジュール５の光軸を通りＹ軸に平行に切断した部分断面図、図３はレンズ押さえバネ３の平面図、図４はレンズ押さえバネ３の板バネ部を拡大した部分拡大図、図５はレンズ押さえバネ３の平面図、図６はレンズガイド９を使用せずにコリメータレンズ４をベース６に取り付けた状態を＋Ｚ方向から見た平面図、図７はレンズガイド９を使用してコリメータレンズ４をベース６に取り付けた状態を＋Ｚ方向から見た平面図である。
【００１３】
図１中で、レーザモジュール５がレーザ光線を出射する方向である図中上側を＋Ｚ軸方向としてその反対側である図中下側を−Ｚ軸方向、レーザモジュール５を３個並べている方向である図中右側を＋Ｘ軸方向としてその反対側である図中左側を−Ｘ軸方向、レーザモジュール５を３個並べた列を２列並べている方向である図中奥側を＋Ｙ軸方向としてその反対側である図中前側を−Ｙ軸方向とする。
【００１４】
レーザモジュール５は直径が約１０ｍｍ程度の半導体レーザのＣＡＮパッケージタイプで、図１中の＋Ｚ方向の面に設けられている出射口５３から＋Ｚ方向にレーザ光線が出射する。−Ｚ方向の面には電源供給用の端子５２がついており、外部から端子に所定の電源を供給することで、レーザ光線を出射する仕組みになっている。フレキシブル基板（ＦＰＣ：Ｆｌｅｘｉｂｌｅ  Ｐｒｉｎｔｅｄ  Ｃｉｒｃｕｉｔｓ）８は、レーザモジュール５の端子５２に半田等で電気的に接続され外部から電源を供給する。
【００１５】
ベース６は金属部品であり、レーザモジュール５とコリメータレンズ４を一つの光軸上に一定の間隔を保ちながら保持するレンズ鏡胴としての機能を有している。図２に示すように、初めレーザモジュール５はベース６に＋Ｚ方向から挿入される。レーザモジュール５は、ベース６の−Ｚ方向側に形成されたレーザ位置決め面６１にレーザモジュール５の下面を当てることで、ベース６に対する光軸Ａ方向であるＺ方向の位置が決まる。また、レーザモジュール５は、光軸Ａを中心軸とした円形状の面で構成されたレーザ保持面６２に圧入することで位置決めして保持される。このレーザ保持面６２は、レーザモジュールが近接して配置された場合は、図１中のＹ方向のみに部分的に設けられる。
【００１６】
次に、ベース６の＋Ｚ方向の面の上にレンズガイド９を取り付ける。レンズガイド９は、Ｄカットされたコリメータレンズ４をベース６に取り付ける際にコリメータレンズ４が光軸Ａを中止として回転するのを規制するためのものである。レンズガイド９は、板状の部材にコリメータレンズ４の円弧部４３と直線部４４の外形に対応したガイド穴９１が設けられている。
【００１７】
その後、コリメータレンズ４が＋Ｚ方向からベース６にエアーピンセット等で取り付けられる。ベース６のレンズ保持面６４の＋Ｚ方向の端部にはコリメータレンズ４の挿入を容易にする為の面取り部６６が形成されている。この面取り部６６の斜面部分にコリメータレンズ４の−Ｚ方向のエッジが当たることで、滑るようにレンズ保持面６４に導かれレンズ位置決め面６３で光軸Ａ方向の位置決めがされる。
【００１８】
なお、レンズガイド９に設けられたガイド穴９１の円弧部９２の直径は、面取り部６６の＋Ｚ側の端の最大直径より大きくすることで、レンズガイド９で面取り部６６を塞ぐことがなく、コリメータレンズ４をベース６に挿入する場合においても、面取り部６６による挿入性を損なうことはない。
【００１９】
コリメータレンズ４は、ベース６０の＋Ｚ側に形成されたレンズ位置決め面６３に押し当てられてベース６０に対する光軸Ａ方向の位置が決まる。ベース６に対してコリメータレンズ４の半径方向の位置は、コリメータレンズ４の側面４２がレンズ位置決め面６３の外周部に形成されたレンズ保持面６４に規制されることで決まる。レンズ保持面６４は光軸Ａを中心とした円形状をしているが、コリメータレンズ４がＸ方向に近接している場合は、Ｙ方向にのみ部分的に設けられる。これにより、ベース６を介してレーザモジュール５に対するコリメータレンズ４の位置が決められる。
【００２０】
レンズ押さえバネ３はベース６に固定され、コリメータレンズ４はレンズ押さえバネ３の板バネ部３９により＋Ｚ方向から押えられて保持される。このとき板バネ部３９の押さえ部３３は、コリメータレンズ４の有効領域を示す有効径４５を遮ることなく、また、コリメータレンズ４の円弧部４３の側面４２の位置にスリット溝３４が一致している。
【００２１】
このようにレンズ押さえバネ３の板バネ部３９は、撓み部３２のバネ力が高くなる程板バネ部３９がコリメータレンズ４を押さえる力が増し、押さえ部３３はコリメータレンズ４のレンズ面に沿うように変形する。よって、Ｄカット部分である直線部４４を有し保持する箇所が少ないコリメータレンズ４においても、レンズ押さえバネ３の板バネ部３９は、振動衝撃に強い保持力を持つことができる。
【００２２】
コリメータレンズ４は、レーザモジュール５から出射されたレーザ光線が当たっていない不要な部分の２箇所をＤカットと呼ばれるＤ形状に切断した形状になっている。そのＤカットされている部分である直線部４４どうしを、図１に示すように隣り合わせに配置することで、コリメータレンズ４どうしをコンパクトに配置している。このため、ベース６に設けられたベース６とコリメータレンズ４を結ぶ穴部６５も図１に示すようにコリメータレンズ４が隣接するＸ軸方向につながっている形状になっている。
【００２３】
レーザモジュール５とコリメータレンズ４を、同一の軸上の所定する位置に位置決めする精度は、数ミクロン程度を必要とする。このため、ベース６は一般的に剛性が高く、加工性の良いアルミ等の金属材料が使用され、精度を要するレーザモジュール５とコリメータレンズ４の位置決め部分は機械加工が施されている。その機械加工には加工性の容易さや同軸度が出し易いように回転切削加工が用いられており、専用の刃物等を用いて数ミクロン以下の精度で加工がなされている。
【００２４】
レンズ押さえバネ３は、コリメータレンズ４をベース６に固定する為のバネであり、１枚の平らな板金でコリメータレンズ４の位置に対応する位置に穴部３５が設けられている。穴部３５は、コリメータレンズ４の有効径を遮らないように形成されており、図４では、コリメータレンズ４のＤカットされた形状に対応するように、２か所が直線状に切断された直線部３６となっている。一方、円弧状に切断された円弧部３７の穴部３５側には、コリメータレンズ４の両端の円弧部４３を保持するための板バネ部３９が一体に形成されている。支持部３Ａは穴部３５の外側の部分で、後述する補強板２でレンズ鏡胴として機能するベース６の＋Ｚ方向の面に固定される。
【００２５】
ベース６に取り付けられたコリメータレンズ４の上からレンズ押さえバネ３を装着する。図４において、板バネ部３９の根元部３１は、コリメータレンズ４の光軸を通り直線部３６と平行な直線Bと円弧部３７の交点部分に設けられている。つまり、コリメータレンズ４の２つの円弧部４３の周方向の中心を結んだ直線と一致している。板バネ部３９は対向する２つの円弧部３７の各々に設けられている。
【００２６】
撓み部３２は、固定端となる根元部３１から２つの直線部３６に向けて円弧部３７に沿って円弧部３７の穴部３５側に形成されている。つまり、撓み部３２は１つの根元部３１から＋Ｘ軸方向に伸びるものと、−Ｘ軸方向に伸びるものの２つある。撓み部３２の直線部３６側の端部には、略Ｕ字形状の先端部３８が形成されている。先端部２８の一端は撓み部３２に接続されており、他端はコリメータレンズ４を押さえる押さえ部３３に接続されている。
【００２７】
押さえ部３３は、円弧形状をしており、コリメータレンズ４の円弧部４３と同心円状の円弧形状をしている。押さえ部３３と根元部３１との間、押さえ部３３と撓み部３２との間には連続した略一定幅のスリット溝３４が形成されている。押さえ部３３の円周方向の両端は、根元部３１から＋Ｘ方向に設けられた先端部３８の一端と、根元部３１から−Ｘ方向に設けられた先端部３８の一端とに接続されている。
【００２８】
押さえ部３３のスリット溝３４側の外周は、コリメータレンズ４の円弧部４３の外周とほぼ一致するように形成されている。つまり、スリット溝３４がコリメータレンズ４の円弧部４３の外側に隣接する関係にある。一方、押さえ部３３の内周は、コリメータレンズ４のレーザ光線が透過する有効領域を示す有効径４５の外側に位置している。これにより、押さえ部３３がレーザ光線を遮ることはなくなる。つまり、レンズの外周面である円弧部４３にそったレンズ面の非有効領域をおさえることができる。なお、図４ではコリメータレンズ４の円弧部４３に相当する位置を、レンズ径４６を示す円形の破線でしめしている。
【００２９】
また、板バネ部３９の根元部３１の幅の寸法Ｌに対し、押さえ部３３の幅の寸法Ｓは十分細く設定されており、あえて先端部分の剛性が弱くなるように設計されている。例えば、押さえ部３３の幅の寸法Ｓは、根元部の寸法Ｌが３．７ｍｍ程度の場合は、約１／5程度の０．７mm程度に設定する。これにより押さえ部３３はコリメータレンズ４のレンズ面に沿うように変形する。
【００３０】
補強板２は、レンズ押さえバネ３の板ばね部３９以外の部分を＋Ｚ方向から押えて補強するためのものである。補強板２はレンズ押さえバネ３の板厚より厚い平らな板金でできており、レンズ押さえバネ３の穴部３５を遮らないような穴部２１が設けられている。補強板２は、レンズ押さえバネ３の上に＋Ｚ方向から取り付けられ、レンズ押さえバネ３と一緒にネジ止めすることで、より精度よく板バネ部３９がコリメータレンズ４を押さえることができる。
【００３１】
以上のように、固定端となる根元部３１からコリメータレンズ４の外周面である円弧部４３に沿って隣接して形成され、コリメータレンズ４の円周の反対方向に伸びる２つの撓み部３２と、撓み部３７に一端を接続し他端が押さえ部３３に接続している略Ｕ字形状の先端部２８と、コリメータレンズ４の円弧部４３の内側に沿って撓み部３２の穴部３５側にスリット溝３４を挟んで形成され、２つの先端部がその両端に接続している押さえ部３３を有する板バネ部３９でコリメータレンズ４を押えることで、レンズの半径方向の大きさを抑えながらバネの撓み部分の長さを確保してコリメータレンズ４を保持することが可能となる。これにより、Ｄカットすることでコンパクトに配置されたコリメータレンズ４を、アウトガスによるレンズの汚染、接着剤の性能を維持するための管理等の問題を有する接着剤を使用することなく、ベース６に固定し、小型の合波レーザ光源装置１を得ることができる。
【００３２】
なお、上述のように光源がレーザモジュール５の場合は、図１におけるＸ方向とＹ方向の放射角が異なるためコリメータレンズをＤカットしているが、出射する光線のＸ方向とＹ方向の放射角に違いがない光源の場合は、レンズをＤカットすることはできず、円形のレンズを使用することになる。このような場合であっても、図５に示すように穴部３５の３か所に板バネ部３９を設けることで、レンズの半径方向の大きさを抑えながらバネの撓み部分の長さを確保してコリメータレンズ４を保持することが可能となる。
【００３３】
次にレンズガイド９について詳しく説明する。図６において、ベース６のコリメータレンズ４の装着部は、コリメータレンズ４の光軸Ａを中心とした円筒形状の穴で構成されているため、コリメータレンズ４の光軸Ａを中心とする回転を止める手段はない。このため、コリメータレンズ４は光軸回りに回転してＤカットの部分である直線部４４の方向をＸ方向にそろえて装着することが困難であることがわかる。コリメータレンズ４ａないし４ｆのベース６内での保持の姿勢がばらついた場合、レンズ押さえバネ３の板バネ部３９とコリメータレンズ４ａないし４ｆの円弧部４３とが一致せず、レンズ押さえバネ３でコリメータレンズ４ａないし４ｆを十分保持することができなくなる。そのため、レンズ押さえバネ３の板バネ部３９の位置に合うように、コリメータレンズ４ａないし４ｆの角度を一つずつ回転させて合せる必要がある。
【００３４】
またコリメータレンズ４ａないし４ｆの直線部４４どうしの間には隙間が生じ、＋Ｚ方向から見るとベース６の穴部６５を見ることができる。このため、ねじや部品等が穴部６５の内部に落下するおそれがある。なぜなら、ベース６には円筒形状の穴部６５がＸ方向に並んでいる。一方、コリメータレンズ４は２か所の直線部４４を有している。このため、直線部４４に対応する穴部６５の部分をコリメータレンズ４が塞ぐことができず隙間が生じるからである。
【００３５】
図１と図７に示すように、レンズガイド９は平らな板金にコリメートレンズ４に対応した形状のガイド穴９ａないし９ｆを備えている。ガイド穴９１ａないし９１ｆの円弧部９２の直径は、ベース６のレンズ保持面６４の円弧部分の直径より大きい。また、Ｘ方向に隣り合うコリメータレンズ４どうしを分離し、コリメータレンズ４の光軸回転を抑えるためにブリッジ９３が設けられている。ガイド穴９１ａないし９１ｆはそれぞれ対となるコリメータレンズ４ａないし４ｆとの光軸が一致するように設けられている。
【００３６】
図７において、ベース６にレンズガイド９を取り付けた後にコリメータレンズ７を装着すると、コリメータレンズ４ａないし４ｆは、ベース６に設けられたレンズ保持面６４の円弧部分と、レンズガイド９のガイド穴９１ａないし９１ｆの直線部分であるブリッジ９３に規制されてベース６に取り付けることができる。
【００３７】
これにより、コリメータレンズ４ａないし４ｆは、レンズガイド９の直線部分であるブリッジ９３との隙間以上は回転できない。よってその上から装着するレンズ押さえバネ３との位置関係を容易に決めることが出来る。また、コリメータレンズ４の直線部４４を隣接してベース６に取り付けることができるため、合波レーザ光源装置１を小型にすることができる。また、前記レンズガイド９を装着することで、コリメータレンズ４ａないし４ｆとベース６との間に形成される隙間も塞げるため、ねじや部品等の落下を防ぐことが出来る。
【００３８】
なお、レンズガイド９の板厚は、特に規定しないが、０．１０ｍｍ以上あれば変形等の問題もなく、コリメートレンズ４の光軸Ａ回りの回転を規制する事が出来る。また、レンズガイド９を複数枚取り付けることでレンズ押さえバネ３のコリメータレンズ４への押付け力を調整することができる。例えば、レンズガイド９を２枚挟むことで、コリメータレンズ４を押さえつける板バネ部３９のバネ力を弱くする事ができる。また反対にレンズガイド９を１枚減らすことで、レンズ押さえバネ３の板バネ部３９は、その分大きくたわむため、コリメータレンズ４を押さえるバネ力を強くする事が出来る。
【００３９】
このように厚さの薄いレンズガイド９を複数枚使用し、コリメータレンズ４のレンズ厚ばらつきや、ベース６の加工ばらつき等に応じて増減させることで、コリメータレンズ４を保持する板バネ部３９のバネ力を容易に調整する事が出来る。
【００４０】
実施の形態２．
実施の形態１では、固定端となる根元部３１からコリメータレンズ４の円弧部４３に沿って形成されている撓み部３２と、撓み部３７に一端を接続し押さえ部３３に接続している略Ｕ字形状の先端部２８と、コリメータレンズ４の円弧部４３に沿って、スリット溝３４を介して撓み部３２の穴部３５側に形成されている押さえ部３３とを有する板バネ部３９を示した。これは、２つの撓み部３２の先端部分を押さえ部３３でつないでいる構成である。実施の形態２では、固定端となる根元部３１から１つの撓み部３２を持つ構成について説明する。
【００４１】
図８はレンズ押さえばね３の板バネ部の拡大した部分拡大図である。なお、図３と同一構成要素には同一の符号を付しその説明を省略する。
【００４２】
板バネ部３９の根元部３１は、実施の形態１の場合はコリメータレンズ４の光軸を通り直線部３６と平行な直線Ｂと円弧部３７の交点部分に設けられている。つまり、円弧部３７の円弧の長さの中心部に設けられていた。一方、実施の形態２では、中心軸である直線Ｘに対して一方の直線部３６の方に偏って設けられている。
【００４３】
まず、図８の上側の板バネ部３９ａについて説明する。根元部３１ａは、中心軸である直線Ｂに対して一方の直線部３６ａの方に偏って設けられている。撓み部３２ａは、根元部３１ａからコリメータレンズ４の円弧部４３の外周に沿うように他方の直線部３６ｂ側に伸びている。この撓み部はコリメータレンズ４の円弧部４３の外側に形成されているため、コリメータレンズ４に当たっていない。なお、図８ではコリメータレンズ４の円弧部４３に相当する位置を、レンズ径４６を示す円形の破線でしめしている。
【００４４】
撓み部３２ａの直線部３６ｂ側の端部には、略Ｕ字形状の先端部３８ａが形成されている。先端部３８ａの一端は撓み部３２ａに接続されており、他端はコリメータレンズ４を押さえる押さえ部３３ａに接続されている。先端部３８ａの穴部３５側はコリメータレンズ４に接してコリメータレンズ４が光軸方向に動かないように押さえている。しかし、この場合コリメータレンズ４の円弧部４３の内、直線部３６ｂ側の一部を押さえていることになるため、より円弧部４３全体に押さえて安定してコリメータレンズ４を保持するため、押さえ部３３ａを設けている。
【００４５】
押さえ部３３ａは、先端部３８ａの穴部３５側の端部に接続して直線部３６ａに向けてコリメータレンズ４の円弧部４３に沿って伸びている。押さえ部３３ａがレンズ押さえバネ３のシートと同一平面に形成されているだけでは、先端部３８ａの穴部３５側の部分がコリメータレンズ４に接した時点で押さえ部３３ａは浮いてしまい、コリメータレンズ４を押さえることはできない。
【００４６】
このため、押さえ部３３は予め光軸方向のコリメータレンズ４側である−Ｚ方向に屈曲または反った形状としておくか、押さえ部３３ａの直線部３６ａ側の端部に−Ｚ方向に突出した凸部を設けることにより、コリメータレンズ４を直線Ｘの直線部３６ｂ側である＋Ｘ方向側だけでなく、直線部３６ａ側である−Ｘ方向側も押さえることができる。
【００４７】
このように、中心軸である直線Ｘに対して一方の直線部３６ａの方に偏って設けられた根元部３１ａと、根元部３１ａからコリメータレンズ４の円弧部４３の外周に沿うように他方の直線部３６ｂ側に伸びている撓み部３２ａと、撓み部３２ａの端部に接続された略Ｕ字形状の先端部３８ａと、先端部３８ａの他端部に接続し直線部３６ａに向けてコリメータレンズ４の円弧部４３に沿って伸びているコリメータレンズ４を押さえる押さえ部３３ａを備える板バネ部３９ａを有することにより、レンズの半径方向の大きさを抑えながらバネの撓み部分の長さを確保することが可能となる。これにより、Ｄカットすることでコンパクトに配置されたコリメータレンズ４を、アウトガスによるレンズの汚染、接着剤の性能を維持するための管理等の問題を有する接着剤を使用することなく、ベース６に固定し、小型の合波レーザ光源装置１を得ることができる。
【００４８】
なお、もう一つの板バネ部３９ｂは、コリメータレンズ４の光軸Ａに対して点対称の形状で形成されている。
【符号の説明】
【００４９】
１  レーザ光源装置、  ３  レンズ押さえバネ、  ３１  根元部、  ３２  撓み部、  ３３  押さえ部、  ３８  先端部、  ３９  板バネ部、  ３Ａ  支持部、  ４  コリメータレンズ、  ４３  円弧部、  ４４  直線部、  ５  レーザモジュール、  ６  ベース。
【図１】
0005471410.tif 000002
【図２】
0005471410.tif 000003
【図３】
0005471410.tif 000004
【図４】
0005471410.tif 000005
【図５】
0005471410.tif 000006
【図６】
0005471410.tif 000007
【図７】
0005471410.tif 000008
【図８】
0005471410.tif 000009